(57)【要約】少なくとも１個のランプ（１０）、並びに該ランプによって発生された光束の変化をモニタすると共にこれらの変化を適切な画像再生制御により補償するためのセンサー信号を発生するセンサー（３０）による画像再生用の投映システムを記述する。この投映システムは少なくとも１つのセンサー（３０；３０１，３０２，３０３）によって発生されたセンサー信号からほぼ周期的な妨害成分を除去する装置（３１；３２；３６，３７）を具えている。これらの妨害成分は、投映システムの特に色変調器（１２）のような光学部品によって発生したりする。従って本発明は、例えば不安定なアーク放電のためにランプによって発生される光束の変動、また投映システムにおけるセンサー（３０）の位置付けが問題にならないカラーシステムにおける光束の変動を少なくとも実質上妨害なく補償し得るようにする。
2006500630.tif 000002
【特許請求の範囲】
【請求項１】
少なくとも１個のランプ、並びに該ランプによって発生された光束の変化をモニタすると共にこれらの変化を適切な画像再生制御により補償するためのセンサー信号を発生する少なくとも１個のセンサーによる画像再生用の投映システムであって、前記少なくとも１つのセンサーによって発生されたセンサー信号からほぼ周期的な妨害成分を除去する妨害除去装置を有している投映システム。
【請求項２】
前記妨害除去装置は、センサー信号をフィルタリングすると共に前記妨害成分によって発生した前記センサー信号の周波数成分を少なくとも実質上抑圧する櫛形フィルタを具えている、請求項１に記載の投映システム。
【請求項３】
前記櫛形フィルタのフィルタ特性は、前記妨害成分を引き起こす色変調器の制御信号に同期する信号により制御可能である、請求項２に記載の投映システム。
【請求項４】
前記妨害除去装置はセンサー信号用の増幅器を具え、該増幅器の増幅度を妨害成分の周波数に応じて切り替えて、妨害成分を少なくとも実質上抑圧し得るようにした、請求項１に記載の投映システム。
【請求項５】
前記妨害除去装置は、妨害成分と同期するセンサー信号の摺動平均値を生成するためのユニット並びに、該摺動平均値を前記センサー信号から差し引く減算器を具えている、請求項１に記載の投映システム。
【請求項６】
供給されたセンサー信号をデジタル化するアナログ/デジタル変換器、デジタル式に具体化するユニット及び該ユニットで生成したセンサー信号のデジタル平均値をアナログセンサー信号に変換するデジタル/アナログ変換器を具えているデジタル信号処理するマイクロコントローラを有している、請求項５に記載の投映システム。
【請求項７】
前記マイクロコントローラはデジタル式に具体化する減算器を具え、該減算器の一方の入力端子が前記ユニットの出力端子に接続され、他方の入力端子が前記アナログ/デジタル変換器の出力端子に接続され、且つ前記減算器の出力端子が前記デジタル/アナログ変換器の入力端子に接続されるようにした、請求項６に記載の投映システム。
【請求項８】
前記マイクロコントローラは、前記デジタル/アナログ変換器の代わりに、変調されたセンサー出力信号を生成して、該センサー出力信号をランプ駆動ユニットに伝送する伝送ユニットを具えている、請求項７に記載の投映システム。
【請求項９】
前記マイクロコントローラは、当該マイクロコントローラに供給されるセンサー信号を、周期的に繰り返す波形について分析することに基づいて共時性信号を発生するために設けられ、前記共時性信号がセンサー信号を摺動的に平均化するために用いられるようにした、請求項６に記載の投映システム。
【請求項１０】
原色を時系列にて発生する色変調器を有し、前記妨害除去装置は、前記投映システム内に案内された光部分を複数の原色に分割するフィルタ回路、並びに前記少なくとも１つのセンサーの原色に対する異なる感度を関連する原色を増幅及び/又は減衰させることにより補償する感度補償装置を具えている、請求項１に記載の投映システム。
【請求項１１】
前記センサーの異なる感度を補償するための感度補償装置は、適切に決定した伝送値を有する少なくとも１つの伝送フィルタを具えている、請求項１０に記載の投映システム。
【請求項１２】
各原色に対する増幅器付のセンサーを設け、少なくとも１つの増幅器の増幅度は、原色に対する前記センサーの異なる感度を補償するために可調整であり、且つ前記増幅器の出力信号を混合するためのミクサを設けた、請求項１０に記載の投映システム。
【請求項１３】
少なくとも１つのセンサー及び/又は前記少なくとも１つのセンサーによって発生されたセンサー信号からほぼ周期的な妨害成分を除去するための妨害除去装置を具えているランプ駆動ユニットを有し、前記少なくとも１つのセンサーをランプによって発生される光の光路に光学的に接続する少なくとも１つの光ファイバを設けた、請求項１に記載の投映システム。
【請求項１４】
前記画像再生制御は、再生画像の輝度制御により達成し得るようにした、請求項１に記載の投映システム。
【請求項１５】
前記再生画像の輝度は、ランプ電流の変化により制御し得るようにした、請求項１４に記載の投映システム。
【請求項１６】
前記再生画像の輝度は、電気的に可制御のフィルタにより及び/又は画像情報に付加したグレーレベルマスクにより及び/又はディスプレイの切り替え周期の変更により制御し得るようにした、請求項１４に記載の投映システム。
【請求項１７】
時系列の演色性を有し、色変調器によって生成される原色により周期的な妨害成分が発生され、原色を、前記妨害成分を除去する装置によって調整して、再生画像の色温度を可調整とした、請求項１に記載の投映システム。
【発明の詳細な説明】
【技術分野】
【０００１】
本発明は、少なくとも１個のランプ、並びに該少なくとも１個のランプによって発生された光束の変化をモニタし、且つこれらの変化を、画像再生の適切な制御により補償するためのセンサー信号を発生するセンサーによる画像再生用の投映システムに関する。
【背景技術】
【０００２】
投映システムに用いられる光源は通常１個又は数個の高圧ガス放電ランプ（ＨＩＤ〔高強度放電〕ランプ又はＵＨＰ〔超高性能〕ランプ）によって形成される。これらのランプは原理上、直流及び交流の双方で動作させることができる。双方の動作モードには利点もあれば、欠点もある。ＡＣ（交流）動作は電極の早い腐食を防止することができ、且つランプの発光効率を高めることができるが、極性が変化するために、アーク放電が不安定になることがよくあるため、輝度が周期的に変動したり、他の画像妨害が生じたりする。しかしながら、ＤＣ（直流）動作ランプでも、特に動作期間が増えると、例えば、いずれ生じることになる不規則な電極間距離のために、アーク放電に不安定性が生じ、特に、アークジャンプが現れることを除外できない。
【０００３】
従って、放電ランプの動作寿命を通して妨害のない最適な画像品質を守るために、ランプの発生光束をモニタする動作モードと短期の光束変動を補償する動作モードとの双方にセンサーを用立てるのが好適である。
【０００４】
発生光束の変動は特に、色再現処理を時系列で行う色投映ディスプレイの場合、原色の１つが他の原色に対して異なる輝度で再生されたり、或いは或る画像領域における原色の１つの輝度が他の画像領域における輝度とは異なったりする場合に妨害と見て取れる。
【０００５】
２つの時系列色再現法が区別され、現今適用されている。
【０００６】
第１の方法では、全画像を三原色（フィールド順次カラー）及び場合によっては第４の白色画像もディスプレイ上に逐次再現することによりカラー画像を発生させる。この方法は現在例えば大抵のＤＬＰ（デジタル光処理）プロジェクタにて用いられている。
【０００７】
第２の方法では、全ての原色が色の線又は色細条の形態でディスプレイを交互に横切って走行するようにしてカラー画像を発生させる（「スクリーンローリングカラー」）。この方法は、例えばＬＣＯＳ（シリコン上の液晶）ディスプレイ（SID 01 Digest of Technical Papers, vol. XXXII, pp.1072-1075, 2001におけるShimizu著の<<Scrolling Color LCOS for HDTV Rear Projection>>参照）及びＳＣＲ-ＤＭＤ（順次カラー回復-デジタルマイクロミラー）投映ディスプレイ（SID 01 Digest of Technical Papers, vol. XXXII, pp.1076-1079, 2001におけるDewald, Penn, Davis著の<<Sequential Color Recapture and Dynamic Filtering: A Method of Scrolling Color>>参照）によって用いられている。
【０００８】
これらのシステムは三原色の光を発生するために光源とディスプレイとの間に配置した色変調器を具えており、この変調器はシステムにおける輝度をかなり変動させる。このために、ランプによって発生される光束をモニタするための上述したセンサーはこれらの変動を検知することができない。その代わりに、センサーは、理想的な場合に時間と共に平均化した光積分後にディスプレイに入射する光束に比例する信号を発生すべきである。しかしながら、光積分器及び光変調器は上述した投映システムでは互いに接近して配置され、且つ連結させるから、センサーが妨害のない光束を検知することができるセンサーの適切な位置を見つけるのは比較的困難である。
【０００９】
ＨＩＤ又はＵＨＰランプを作動させる電子回路は、例えばDE 101 36 474.1から既知であり、この電子回路はランプ用に制御したランプ電流を供給するランプ駆動回路及びランプによって発生された光束を表すセンサー信号を発生する輝度センサーを具えている。更に、高域通過又は帯域通過フィルタを設けて、これによってセンサー信号をろ波してから、ランプ電流を制御するランプ駆動回路に供給する。
【００１０】
高域又は帯域通過フィルタは、ランプによって発生される光束における長期の変化、特に、ランプの寿命過程におけるような光束の低下と、アークジャンプによって生じる短期の変動とを分けて、後者の短期変動だけを用いて、ランプ駆動回路によってランプパワー（出力）を能動制御する。
【００１１】
しかしながら、このような能動制御（ＬＯＣ-光出力制御）は、センサー信号に上述したように、例えば色変調器からの輝度変動によって生じる妨害成分が重畳される場合に正確に動作しなくなる。
【発明の開示】
【００１２】
従って本発明の目的は、光源によって発生された光束における偶発的な変化によって生じ、投映システムの光学部品によって生じる周期的な輝度変動の存在でも生じる画像品質の減退を少なくとも実質上回避する、冒頭にて述べた種類の投映システムを提供することにある。
【００１３】
特に本発明は、少なくとも１つの高圧ガス放電ランプを具え、特に不安定なアーク放電によって生じる発生光束の変動による画像品質の減退を、時系列カラーディスプレイを用いる場合にも少なくとも実質上回避する、投映システムを提供することにある。
【００１４】
最後に、本発明は、光源によって発生された光束中の偶発的な変化、特に使用する光源を交流電流で作動させる１個又は数個の高圧ガス放電ランプで形成する場合に生じるカラーアーティファクトを少なくとも実質上回避する、時系列法で作成されるカラーディスプレイを有する投映システムを提供することにある。
【００１５】
本発明の目的は、請求項１に従って、少なくとも１個のランプ、並びに該ランプによって発生された光束の変化をモニタすると共にこれらの変化を適切な画像再生制御により補償するためのセンサー信号を発生する少なくとも１個のセンサーによる画像再生用の投映システムであって、前記少なくとも１つのセンサーによって発生されたセンサー信号からほぼ周期的な妨害成分を除去する妨害除去装置を有している投映システムによって達成される。
【００１６】
センサー信号における周期的な妨害成分は、光学部品によって生じる輝度変動（変調）により発生する。斯様な光学部品は特に色変調器とすることができ、この場合、妨害成分は種々の原色から、即ち種々の原色に対するセンサーの感度から本来発生する。
【００１７】
この場合、画像再生にかかわる前記制御は少なくとも、画像輝度の変動又は色の合成エラー及びグレーレベルが最早人間の目では知覚できないように行う。このようにするために、ランプ駆動回路及び/又はグレーレベルマスク及び/又は画像輝度に影響を及ぼす（電気的に可制御の光学フィルタのような）何らかの他の素子及び/又はディスプレイを制御するのに妨害成分のないセンサー信号を用いることができる。
【００１８】
この解決法の特に有利な点は、光学部品（特に、色変調器）によって生じる輝度変動の影響をできるだけ小さくすることができる場合に、センサーの位置付けが最早重要でなくなることにある。これにより特に、ディスプレイ上に再生される画像の輝度を変化させる上述したランプ電流の能動制御をこの際、（例えば、ＬＣＯＳディスプレイ及びＤＬＰプロジェクタのような）時系列色再現法に追加の大量出費なくして用いることもでき、アークジャンプによって生じる光束の変動を少なくとも大いに抑圧することができる。
【００１９】
特に、DE 101 36 474.1に記載されている画像プロジェクタに使用し、且つその動作方法を実現するのに適用することができ、これにより、アークジャンプによって生じる輝度変動を、色変調器を用いる場合でも、人間の目では最早見ることができないようになくすことができる。
【００２０】
更なる利点は、光学部品が色変調器であり、且つフィールド順次の色再現法を用いる場合でも、即ち、センサー出力信号が該当する原色の発生に従って時間に応じて変化する場合でも、色温度の（無損失）微調整及び表示可能空間の最適化が可能であることにある。
【００２１】
従属請求項は本発明の有利な他の実施例に関するものである。
【００２２】
請求項２及び３の実施例は、センサー信号における妨害成分に関連する周波数成分をフィルタ処理して除去することによりその妨害成分を除去する。
【００２３】
請求項４の実施例は、妨害成分を抑圧するようにセンサー信号を時間に応じて増幅するのに対し、請求項５では、適切に生成した同期平均値をセンサー信号から差し引くことによって妨害成分を除去する。
【００２４】
請求項６〜８の実施例は、少数の個別又は外部電子素子を必要とするだけのマイクロコントローラを用いることにより請求項５による実施例を有利に実現する様々な例である。
【００２５】
請求項９の実施例の利点は、投映システム内又はその光路中にセンサー及びセンサーボードを取り付ける必要がないため、投映システムの実現及び据え付けが容易になることにある。
【００２６】
特に色変調器を有する投映システム用に設計される請求項１０〜１２に係る実施例では、それぞれ異なる原色に対する１個又は複数センサーの個々の感度を、該当するセンサー信号を選択的に増幅又は減衰させることにより補償する。
【００２７】
請求項１３による実施例では、好ましいランプ駆動ユニット内に、光路に沿って伝播する光を検出するため、並びに関連するセンサー信号を補正するための実質上全ての必須部品を一体化する。
【００２８】
請求項１４〜１６は、ランプによって発生する光束の変化（例えば、アークジャンプによって生じる）を補償するように、妨害成分をなくしたセンサー信号で再生画像の輝度を制御するための種々の変更例に関する。
【００２９】
最後に、請求項１７は再生画像の色温度を所望に設定又は同調させることができるようにする変更例である。
【００３０】
本発明の更なる特徴、要点及び利点を、以下添付の図面を参照しての好適実施例につき説明することにより明らかにする。
【００３１】
投映ディスプレイ上に再生される画像の輝度は、以下説明する実施例（図１，４，５，７，１３及び１４）におけるランプ駆動回路によりランプ電流を変えることによって制御される。しかしながら、代案として、又は追加的に、画像の輝度はランプとディスプレイとの間の光路内に追加的に挿入する電気的に制御可能な光フィルタ及び/又はディスプレイ上に再生される画像の輝度に影響を及ぼすファクタ形式のグレーレベルマスクによって変えることもできる。ＤＬＰシステムに用いられる極めて高速のディスプレイ用に特に好適なこれら２通りの別のやり方についてはDE 102 20 510.8に詳細に記載されている。この文献を参考までに当明細書に含めるものとして、以下個々についての説明は省略する。
【００３２】
本発明を先ず、上述した第２の方法で動作させるＳＣＲ-ＤＭＤディスプレイを有する投映システム（スクローリングカラーシステム）につき説明する。このような投映システムの構成及び動作態様については、SID 01 Digest of Technical Papers, vol. XXXII,  pp. 1076-1079,20001におけるDewald, Penn, Davisによる引用論文“Sequential Color Recapture and Dynamic Filtering: A Method of Scrolling Color”に詳しく説明されている。この論文も参考までに当明細書に含めるものとする。
【００３３】
図１はこのような投映システムの照明部分の構成原理を示す。ここには、ランプ１０及び反射器１０ａを有している光源と、必須の光学部品、即ち、ロッド-インテグレータ（光共振器）１１、カラーホイール１２、リレーレンズ（光学投映レンズ）１３及び駆動デバイスによって既知の方法にて駆動されるＤＭＤディスプレイ２０を示してある。ＤＭＤディスプレイ２０上に生成される画像は最終的に、レンズによってスクリーン又は同様な装置（図示せず）上に投映される。
【００３４】
光源は、１個又は数個の高圧ガス放電ランプと、光のコーン１０ｂをロッド-インテグレータ１１の入り口面に向ける１個又は数個の反射器１０ａとを具えている。
【００３５】
ロッド-インテグレータ１１は中空のスペース１１４を囲む反射性の高いジャケット１１３を有している。ロッド-インテグレータ１１に結合された光は、ジャケット１１３にて多数回反射され、且つロッド-インテグレータ１１の長さが充分であれば、均一化されて、ロッド-インテグレータ１１の出口面に本来均一分布の光度が得られるようになる。ロッド-インテグレータ１１は、光学材料、特にガラス製の固体光波ガイドによって形成することもできる。
【００３６】
カラーホイール１２（色変調器）は、アルキメデス曲線のＲＧＢパターン形態に配置される赤、緑、青及び透明な二色性の反射被膜を具えている。ＲＧＢパターンの大きさは、１個又は数個の色つきのスパイラルが常にロッド-インテグレータの出口面の断面を覆うような寸法とする。そのパターンは、カラーホイール１２を回転させると、赤、緑及び青の各色間の境界が一定の速度で半径方向に動く特性を有する。この結果、ＲＧＢパターンはロッド-インテグレータの出口面をほぼ一定の速度で横切って動く。ロッド-インテグレータ１１の出口面とカラーホイール１２との間の距離は、光の損失をなくすように、できるだけ短くすべきである。
【００３７】
リレーレンズ１３は最終的にＲＧＢパターン（色細条）をＤＭＤディスプレイ２０上に投映する。カラーホイール１２が回転すると、そのＲＧＢパターンはＤＭＤディスプレイ２０の上を連続的に動く。
【００３８】
図１では更に、光センサー３０をリレーレンズ１３に隣接して配置している。しかしながら、カラーホイール１２とディスプレイ２０との間の領域を巻き込むのが普通であるから、スペースの問題がなければ、センサー３０は別の位置に配置することもできる。一般的にセンサー３０は、それが画像の中央領域を走査するように位置させる。センサーは、例えばリレーレンズ１３に対して横方向に変位させて、特に、レンズ１３から後方に反射される光のような散乱光を捕らえるように配置することもできる。
【００３９】
図２は、２つの隣接する色細条間の遷移をできるだけ短くする（センサー信号のステップ（段）間の遷移は対応して急峻になる）ことを除いて、センサー３０が十分に小さく、従って一度に１つの色細条によってしか照射されないようにした場合に、図示の位置のセンサー３０によって発生されるセンサー信号の周期的段付き変化度（勾配）を時間の関数で示した線図である。３つの個別の振幅は、３つの色細条の異なる輝度、又は三原色に対するセンサーの異なる感度に由来する。
【００４０】
センサーの色感度により段歩状になる同様なセンサー信号は、上述した第１の方法からも得られ、この方法では、三原色での全画像によりカラー画像を時間系列にて生成するのであって、この場合、追加の白色画像は対応する第４段をもたらすことになる。
【００４１】
光源によって発生される光束の変動、例えば、不安定なアーク放電、ランプ駆動回路の制御によって及び/又は電気的に制御可能な光フィルタによって及び/又はディスプレイのグレーレベルマスクによって生じる光束の変動を斯かるセンサー信号によって補償すべき場合には、色細条（又は原色画像）によって生じるセンサー信号の変調をなくす必要がある。この変調の２態様のものが色細条の場合に特に重要である（これは原色画像によって生じる変調についても云えることである）。即ち、
１）色細条（又は原色画像）はディスプレイ２０上では見えなくしなければならないと云う要件のために、カラーホイール１２の回転速度によって決まる変調周波数は、人間の目の限界周波数よりも遥かに高い。
２）変調周波数は更に、極めて正確に規定し、且つ一定にして、正しい画像が構築されるようにする。変調周波数はカラーホイールの同期性に依存し、また、変調周波数は、カラーホイールの１回転で複数の色が横断する場合に高くなったりする。
【００４２】
斯様な変調を以下説明する回路部品によって除去する。
【００４３】
図１に示した本発明による第１実施例における前記回路部品は、入力端子にセンサー３０の信号が供給される増幅器３１と、この増幅器３１によって増幅されたセンサー信号が供給される櫛形フィルタ３２と、この櫛形フィルタ３２の出力端子に接続されたＨＥＳ（人の目感度）フィルタ３３と、電源３５及びＨＥＳフィルタ３３の出力信号が供給され、且つ出力端子に接続された１個又は複数のランプ１０に対する可制御のランプ電流を供給する可制御のランプ駆動回路３４とを含む。
【００４４】
櫛形フィルタ３２及びＨＥＳフィルタ３３の伝送特性を図３に（Ｉ）及び（II）にて示してある。この図には上述した変調によって生じたセンサー信号の幾つかの周波数成分(III)も示してある。これらは色細条の基本周波数とその高調波である。
【００４５】
櫛形フィルタ３２の非伝送周波数範囲は、変調の少なくとも低い周波数成分がこれらの範囲内に入るようにして、これによりカラーホイール１２によって生じるセンサー信号における妨害が、少なくとも、不安定なアーク放電又は他の影響によって生じる発生光束中の変動がセンサー信号によって補償され、従って画像の乱れをなくすことができる程度になくなるようにする。
【００４６】
櫛形フィルタ３２の寸法上のさらなる尺度は、ＨＥＳフィルタ３３にとって重要な信号成分への影響をできるだけ少なくすることにある。このために、非伝送周波数範囲を定める櫛形フィルタのエッジはできるだけ急峻にする。
【００４７】
この点で特に有利な本発明の実施例を図４に示す。図１におけるものと同様なもの、又は対応する部品には同じ参照番号を付してあるため、異なるものについてのみ説明する。
【００４８】
光センサー３０によって発生される信号は、この場合にも増幅器３１によって増幅されて、櫛形フィルタ３２及びＨＥＳフィルタ３３によりろ波されて、少なくとも１個のランプを駆動するランプ駆動回路３４に供給される。
【００４９】
更に図４には画像プロセッサを有する画像処理兼制御ユニット２１を示してあり、このユニットには表示すべきビデオ信号Ｖｉｄが供給され、またこのユニットはディスプレイ２０を駆動する働きをする。このユニット２１から取り出される画像共時性信号は、ランプ駆動回路３４を介してランプ１０を制御すると共に、カラーホイール１２を制御する働きをする。画像共時性信号は櫛形フィルタ３２にも供給され、センサー３０の上方を走行している色細条に従ってフィルタの特性を制御する。
【００５０】
そのために、櫛形フィルタは、そのフィルタ周波数をクロック信号によって比例的に変えられるように構成する。このようなフィルタは、例えばスイッチドキャパシタフィルタ又はあらゆる種類のディジタルフィルタとする。この際、櫛形フィルタを作動させるクロック周波数は、画像共時性信号によって固定比率に設定する（通常は、同期周波数の倍数；この調整は、例えば位相ロックループで行う）。これにより、フィルタ周波数はカラー周波数に常に正確に同調することになる。
【００５１】
高度の共時性によって比較的簡単な方法でフィルタエッジを急峻にすることができる。その理由は、カラーホイール１２（従って、色細条がセンサーを横切って走行し、妨害を起生する）を制御するためと、これらの妨害を抑圧する櫛形フィルタ３２のフィルタ特性を制御するためとの双方に同じ共時性の信号を用いるからである。このようにすることにより、公差の問題もなくなり、同等化の必要もなくなる。
【００５２】
櫛形フィルタ３２の出力信号は随意画像処理兼制御ユニット２１に帰還させて（破線にて示す）、これによりディスプレイ２０を別のやり方で駆動したり、ランプ駆動回路３４も駆動したりして、画像輝度をこの方法でそれ相当に制御することができる。この変形例は、残余変動の高速除去用に特に有利に用いることができ、この点で特に、引用したDE 102 20510.8に開示されているようなＤＬＰシステムに用いられる高速ディスプレイ用に有利である。
【００５３】
図５は本発明の第３実施例を示す。ここでも、図１及び図４におけるものと同一又は類似の構成部品には同じ参照番号を付して示してあり、異なるものについてのみ原理を説明する。
【００５４】
光センサー３０によって発生された信号は増幅器３１によって増幅されてから、摺動平均値（sliding average）を生成するユニット３６と、これに接続された減算器３７とに供給される。減算器３７の出力端子はＨＥＳフィルタ３３に接続されており、このフィルタの出力信号はランプ駆動回路３４に供給される。ランプ駆動回路３４は少なくとも１個のランプ１０を点灯させるランプ電流を電源３５から引き出す。
【００５５】
図５には、表示すべきビデオ信号Ｖｉｄが供給され、ディスプレイ２０を駆動させる画像処理兼制御ユニット２１も示してある。この場合にも画像共時性信号がユニット２１から取り出され、この信号はモータ制御ユニット２２によってカラーホイール１２を制御する働きをする。
【００５６】
この第３実施例では、カラーホイール１２によって生じるセンサー信号中の妨害信号を、これらの妨害信号を減算器３７によってセンサー信号から正確に差し引くことによって除去する。この差し引くべき部分は、カラーホイールと同期するセンサー信号の部分をカラー周波数に同期する平均値を求めることによって正確に決定するようにしてユニット３６によって発生させる。
【００５７】
摺動平均値を生成するユニット３６は、制御ユニット、メモリ、Ａ/Ｄ変換器及びＤ/Ａ変換器を有するマイクロコントローラで構成するのが好適である。この場合、制御ユニットにて実行させるプログラムは、例えば次のような機能及び処置を行う。即ち、
先ず、カウンタＮを同期信号によって０にリセットして、主ループをスタートさせる。
【００５８】
随意、共時性信号の受信時に、先行する共時性信号間の間隔と比較することによって、カラーホイールの周波数が変化したか否かをテストする。変化した場合には、平均値をリセットする。
【００５９】
主ループは次のようなステップを含む。即ち、
-  センサー信号から減算するためにサンプル値ＸＮをＤ/Ａ変換器を介してユニット３６の出力端子に供給するステップ；
-  Ａ/Ｄ変換器にて新規のサンプル値ＹＮを測定するステップ；
-  次式、ＸＮ＝ＸＮ＊Ｚ＋ＹＮ＊（１−Ｚ）（Ｚは重み係数、例えば、Ｚ＝0.999）に基づく加重付加により摺動平均値を求めるステップ；
-  Ｎの値を大きく、即ちＮ＝Ｎ+１とするステップ；
-  次の走査瞬時まで待機するステップ。
【００６０】
数学的に、この平均値のフォーメイションは、重み係数をゆっくり低下させる極めて長い信号遅延部材（全て通す）のチェーンで構成する。遅延時間は（次の共時性信号より前の）Ｎの最大値と走査時間とによって決定する。これにより、ほぼ理想的な櫛形フィルタを減算器に関連して作成する。
【００６１】
最も簡単な形の減算器３７は演算増幅器で実現することができる。
【００６２】
従って、第３実施例は本来第２実施例の変形であって、この例では、周波数範囲内で櫛形フィルタリングする代わりに、既述のディジタルフィルタ（時間範囲内でフィルタリングする）により摺動平均値を生成し、この平均値をセンサー信号から減算する。
【００６３】
減算器３７の出力信号は随意画像処理兼制御ユニット２１に帰還させて（破線にて示す）、これによりディスプレイ２０を、図４に示した第２実施例のように別のやり方で、またランプ駆動回路３４も減算器３７の出力信号により駆動して、画像輝度をそれ相当に制御することができる。この代行策も引用したDE 102 20 510.8に開示されているようなＤＬＰシステムに用いられる高速ディスプレイと共に残余変動を高速制御するのに特に好適である。
【００６４】
図６は、図５の第３実施例における様々な回路部品の電圧変化度を時間で測定した図を示す。曲線（３）は、増幅後にユニット３６と減算器３７に供給される、変調による影響（妨害）を受けたセンサー信号を示す。ユニット３６は、例えば画像処理兼制御ユニット２１から取り出される曲線（４）に従う共時性信号も受信する。曲線（Ｂ）は、ユニット３６の出力端子における計算した平均値を示す。減算器３７での減算結果であるその出力端子における信号（Ｄ）はランプ光束の代表的な変化度（勾配）を示す。この変化度は最早、カラーホイール１２と相関する成分を含んでいないが、ランプ電流により発生する光の変動分だけは含んでいる。最後に、曲線（１）はランプ駆動回路３４の出力端子におけるランプ電流である。
【００６５】
減算器３７及び/又はＨＥＳフィルタ３３によって行う処理を、ユニット３６のマイクロコントローラにて行うようにすることもできる。更に、増幅器３１、ユニット３６、減算器３７及びＨＥＳフィルタをランプ駆動回路３４における機能ユニットとして実現することもできる。
【００６６】
図７は本発明の第４実施例の概略ブロック図を示し、ここでは、例えば図５に示したような数個の機能ユニットを互いに一体化させる。
【００６７】
図５に対応して、電源Ａに接続されてランプ出力（ＬＯＣ）を能動制御するランプ駆動ユニット４０を設ける。（ＵＨＰ）ランプ１０はこのユニット４０の出力端子に接続されている。ランプ１０によって発生される光は光エンジン４１に向けられる。この光エンジン４１は実質上、図５に図示したものに対応する光インテグレータ１１、色変調器１２、リレー光学部品１３及びＤＭＤディスプレイ２０を具えている。この光エンジン４１によって、画像がスクリーン４２上に投映される。光エンジン４１は、この光エンジン内を伝播している光を検出する光センサー３０も具えている。
【００６８】
センサー３０の出力信号はセンサー信号処理ユニット４３（ＬＯＣセンサーボード）の第１入力端子Ｂに供給され、この処理ユニット４３は、図５に対応する例えば、増幅器３１、減算器３７、センサー信号の摺動平均値を生成するユニット３６及び随意のＨＥＳフィルタ３３を具えることができる。
【００６９】
色変調器１２から取り出される共時性信号はセンサー信号処理ユニット４３の第２入力端子Ｃに供給され、供給電圧は第３入力端子Ｄに供給される。ユニット４３の出力端子Ｅはランプ駆動ユニット４０に接続されている。このセンサー信号処理ユニット４３によって、前記妨害成分が重畳されているセンサー３０の出力信号を上述したように処理し、妨害成分を除去して、ランプ駆動ユニットを制御するのに用いることができる。
【００７０】
図５に示した第３実施例につき述べたように、妨害成分はカラーホイール（又は色変調器）１２によって生じる輝度の変動によって実質上発生されるため、これらの妨害成分はカラーホイールの回転に同期する。
【００７１】
上述したように、検出されるセンサー出力信号を、カラーホイールの回転により取り出されてユニット４３の第２入力端子Ｃに供給される共時性信号によって摺動的に平均化する場合に、妨害成分は、妨害されているセンサー信号からセンサー信号の摺動平均値を差し引くことによってなくすことができる。この際、斯様にして得られるセンサー信号はスクリーン４２に突き当る光に少なくともほぼ比例し、このセンサー信号はランプ駆動ユニット４０を制御するため、従ってランプ１０によって発生される光束を一定に保持するのに用いることができる。
【００７２】
図５に示したそれぞれの部品を図７に従って一体化することによりモジュール化を達成し、これにより本発明による妨害及び干渉のないセンサー信号を投映システムの種類に少なくとも実質上無関係に発生及び使用し、またこのセンサー信号をＳＣＲシステムに有利に適用することができる。
【００７３】
次に、図７に示した第４実施例、特にセンサー信号処理ユニット４３を実現することができる模範的な３つの代案をそれぞれ図８，９及び１０を参照して説明する。
【００７４】
図８は第４実施例の実質上アナログ遂行での第１具体化の概略ブロック図を示す。この図８の回路は、アナログ/デジタル変換器Ａ/Ｄと、センサー信号の前記平均値を生成するデジタルユニット３６ａと、デジタル/アナログ変換器Ｄ/Ａとの直列接続を具えているデジタル処理する（ＤＳＰ）マイクロコントローラ４３１を具えている。
【００７５】
マイクロコントローラ４３１の第１入力端子はセンサー３０に接続され、カラーホイールの回転により取り出される共時性信号は第２入力端子Ｃに供給される。
【００７６】
図８の回路は更に、減算器（差動増幅器）３７を具えており、この増幅器の第１入力端子はマイクロコントローラ４３１の出力端子に接続され、第２入力端子はセンサー３０に接続されている。減算器３７の出力端子は比較器４３３の第１入力端子に接続されており、比較器４３３の第２入力端子には波形生成器４３４の信号が供給される。
【００７７】
この回路によって、センサー３０の出力信号は先ずマイクロコントローラ４３１内でデジタル化される。次に、このデジタル化された信号は、第２入力端子Ｃに供給される共時性信号（トリガー信号）によって、上述したようにカラーホイールの回転時間周期に同期して摺動的に平均化される。この平均化したデジタル信号はアナログ形態に変換されて、減算器３７の第１入力端子に供給される。
【００７８】
減算器３７によって、センサー３０から直接供給される（及び妨害成分によって妨げられている）センサー信号と平均化したセンサー信号との差が生成される。この差信号は、図５に示した第３実施例につき上述した説明に従って、ランプによって発生される光束（ランプの光情報）に比例し、且つこの差信号はランプ電流を制御するランプ駆動ユニット４０に供給される。ユニット４０への差信号の伝送を簡単にするために、減算器３７の出力信号を比較器４３３と波形生成器４３４とによる既知の方法でパルス幅変調信号（ＰＷＭ）に変換し、この変調信号を光信号に変換して、光ファイバで送信することができる。しかしながら、他の変調及び伝送方法を同様に適用することもできる
【００７９】
図９は第４実施例の実質上デジタル遂行とする第２の具体化策を示す。図８についての関連説明を参照するように、図８におけるものと同様か、又は対応する部品には図８におけると同じ参照番号を付して示してある。
【００８０】
図８に示した回路と比較しての主たる違いは、減算器３７ａをデジタル式に作成し、且つマイクロコントローラ４３１内に一体化して、差分信号をデジタル的に計算することにある。従って、摺動的に平均化したセンサー信号はユニット３６ａの出力端子からデジタル減算器３７ａの第１入力端子に供給されるが、妨害成分によって妨げられたデジタル化センサー信号はアナログ/デジタル変換器Ａ/Ｄからデジタル減算器３７ａの第２入力端子に供給される。
【００８１】
減算器３７ａの出力端子はデジタル/アナログ変換器Ｄ/Ａに接続されているため、差分信号はアナログ形態に変換され、この信号はマイクロコントローラ４３１の出力端子から、上述したようにパルス幅変調信号（ＰＷＭ）形態で再びランプ駆動ユニット４０に伝送される。
【００８２】
図１０は第４実施例の全体的にデジタル遂行とする第３の具体化策を示す。図９についての関連説明を参照するように、図９におけるものと同様か、又は対応するコンポーネントには図９におけると同じ参照番号を付し示してある。
【００８３】
図９による回路と比較しての主たる違いは、センサー信号処理ユニット４３の全体をマイクロコントローラ４３１内にて実現して、実質上、センサー出力信号からランプ駆動ユニット４０用の制御信号を生成するのに何等他の部品を必要としないことにある。
【００８４】
更に、マイクロコントローラ４３１はデジタル/アナログ変換器Ｄ/Ａも具えていない。デジタル減算器３７ａの出力端子に得られる差分信号は伝送ユニット４３５によって出力信号、好ましくはパルス幅変調信号（ＰＷＭ）に変換される。この出力信号はランプ駆動ユニット４０に光ファイバを介して光信号として伝送して、更なる処理の必要性をなくすのが好適である。
【００８５】
このような実施による他の利点は、実質上、如何なる投映システム、特に、ランプ駆動ユニットを制御するのに好適で、かつ妨害又は干渉成分を含まないセンサー信号を生成することができるセンサーの位置を見つけることができない投映システムにも極めて融通性に富んだやり方で適用できると云うことにある。更にまた、例えば自動利得制御又はセンサーへのバイアスを最適にしたりするような簡単な策にて他の機能を補足することもできる。
【００８６】
なお、完全を期するために、マイクロコントローラ４３１は、平均化したセンサー信号を格納するのに十分なメモリと、十分高速なアナログ/デジタル変換器Ａ/Ｄと、高い動作周波数で十分高い分解能を有するＰＷＭ発生器を有する必要がある。
【００８７】
図１１は図７に示した回路、特に図８〜図１０のいずれか１つの回路の適用時に見られる種々の信号の変化度を示す線図である。曲線Ａは、周期的な妨害成分がない補正したセンサー信号を示し、これはランプによって発生された光束の一般的な経過を示したものである。この信号はユニット４３又はマイクロコントローラ４３１の出力端子に得られ、ランプ駆動ユニット４０に供給される。
【００８８】
曲線Ｂは、ランプ駆動ユニット４０によって制御されて、曲線Ａに従う一定の光束を達成するランプ出力の経過を示す。
【００８９】
曲線Ｃはランプ駆動ユニット４０の出力端子におけるランプ電流の経過を示すのに対し、曲線Ｄは、例えばカラーホイールの回転によって取り出されて、ユニット４３又はマイクロコントローラ４３１に供給される共時性信号を示す。
【００９０】
これと比較して、図１２はユニット４３又はマイクロコントローラ４３１が動作せずに、センサー信号を何等補正することなくランプ駆動ユニット４０に供給する場合における前述した曲線Ａ〜Ｄの経過を示す。特に、曲線Ａから明らかなように、センサー信号は周期性の妨害成分を含んでいるため、ランプ１０によって発生される光束も同じくこれらの妨害成分を含む。
【００９１】
図７に示した第４実施例は、センサー信号処理ユニット４３に供給され、且つセンサー信号を平均化するのに用いられる共時性信号が、色変調器からセンサー信号処理ユニット４３に供給されると云うよりもむしろ、センサー信号処理ユニット４３そのものによって発生されるように変更することができる。
【００９２】
この変更を達成するために、ユニット４３又はマイクロコントローラ４３１に供給されるセンサー信号を周期的に繰り返す波形に対して分析可能にする。このような周期的な波形が検出されると、これらの波形と相関する共時性信号がデジタル信号処理によりユニット４３又はマイクロコントローラ４３１によって発生されるため、色変調器からユニット４３への外部共時性信号を発生するのに特別な回路や、光学的又は電気的な回路が不要になる。
【００９３】
斯様な変更は、必要とされる外部接続がセンサーに対するものだけで済むため、センサー信号処理ユニット４３をランプ駆動ユニット４０内に一体化することができるので極めて有利である。
【００９４】
この場合、センサー３０も同様にランプ駆動ユニット４０内に一体化するのが好適である。光エンジン４１内の光の伝播を検出するために、センサー３０に一端を結合させる光ファイバを設ける。この光ファイバの他端には、例えばレンズ素子の形態の非結合部を設け、この非結合部を光エンジン４１の光路内に配置する。
【００９５】
このような変更は柔軟性の度合いを極めて高める。その理由は、投映システムを設置する際に、光エンジン４１内を伝播している光を検出できるように光ファイバを配置するのに、その光ファイバの非結合端に対する適当な位置のみを見つけるだけで済むからである。従って、センサー３０を具える大きなセンサー回路板及び光エンジン内又はそれに必要な伝送回路を最早取り付ける必要がなくなる。これにより、電力供給用に関連する部品も不必要になる。
【００９６】
更なる利点は、主要部の分離に係わる問題が生じないと云うことにある。通常このような問題は、センサー側にパルス幅変調器と電気-光カプラーを用い、且つセンサー信号処理ユニット４３側に光−電気カプラーとパルス幅復調器を用いてなくす必要があるが、こうした構成部品も不要になることにある。
【００９７】
こうしてシステム全体に含まれる電気的な部品が少なくなるため、これらの部品の電気的な公差に対する感度も非常に低くて済む。
【００９８】
図１３及び図１４は本発明の第５及び第６実施例をそれぞれ示す。これらの図では、投映システムの照明部分を１つのブロックＬにて示してある。この照明部分Ｌは本来、図１，４及び５に従って、ランプを有する光源、反射器、ロッドインテグレータ、色変調器、リレーレンズ（光投映ユニット）及びディスプレイを具えている。更にこれらの図には可制御のランプ駆動回路３４も示してあり、この回路にはセンサー３０又はセンサー３０１，３０２，３０３の出力信号が供給され、ランプ駆動回路３４は図１，４及び５に示した実施例のようにランプ１０に対する電源としても作用する。
【００９９】
第５実施例（図１３）では、色変調器によって生じるセンサー信号の妨害部分（変調）を、センサーが三原色に対して少なくともほぼ等しい信号を供給することで除去する。この結果、色変調器によって逐次発生される各色は、レベルが常にほぼ同じセンサー信号になる。従って、センサー信号は、ランプ１０の光束が一定であれば一定となり、この光束の変化に依存してのみ変化する。
【０１００】
このようにするために、光の少部分を照明部分Ｌの箇所にて分岐させて、第１ビームスプリッタ３４０に供給する。その箇所は、ランプと投映ディスプレイとの間にて随意選定することができる。
【０１０１】
例えば、グラスファイバ形態の３つの光チャネルを第１ビームスプリッタ３４０の出力端に接続して、光を第１カラーフィルタ３１０、第２カラーフィルタ３２０及び第３カラーフィルタ３３０を具えているフィルタ装置に向けるようにする。これらのカラーフィルタの各々は三原色の１つの色だけを透過する。カラーフィルタの下流には色−中和伝送フィルタ３１１，３２１，３３１があり、これらフィルタの伝送値を、以下更に説明するように、各光チャネルの原色のスペクトル範囲におけるセンサーの感度に依存して決定し、三原色に対するセンサーの異なる感度が伝送フィルタ３１１，３２１，３３１による適切な減衰によって補償されるようにする。
【０１０２】
３つのチャネルに案内された光部分は第２ビームスプリッタで再び合成されて、センサー３０に向けられる。ついで、ランプ駆動回路３４が上述したようにセンサー３０の出力信号によって制御され、ランプにより発生される光束の輝度変動がなくなるようにする。
【０１０３】
この動作原理は、三原色Ｒ，Ｇ，Ｂの全て対するセンサーの電気応答信号ｒを次の第１式、即ちｒ（Ｒ）＝ｒ（Ｇ）＝ｒ（Ｂ）にならって同じにすると云う考察に基づくものである。
【０１０４】
次の第２の等式、即ちｒ（λ）＝ｃＩ（λ）Ｔ（λ）Ｓ（λ）Ｆ（λ）はセンサーの電気応答信号に適用でき、ここに、ｃは定数、Ｉ（λ）はランプ光のパワースペクトル、Ｔ（λ）は光学系及びフィルタシステムの伝送値、Ｓ（λ）はセンサーのスペクトル感度、Ｆ（λ）はセンサーの前における追加フィルタの伝送値である。
【０１０５】
最後に、次の第３の等式、即ちＩ（ｃＲＧＢ）＝∫ｄλＩ（λ）は、システムによって規定される原色の境界を表す、波長λ１とλ２との間の各色の平均光量に適用できる。
【０１０６】
これら３つの式は、伝送フィルタ３１１，３２１，３３１の伝送値（Ｆλ）を計算するのに用いることができ、これには全ての原色に対してセンサーの感度同じとなるように、それぞれの伝送フィルタに各原色が当たるようにする。
【０１０７】
３つの個々のカラーフィルタ３１０，３２０，３３０及び３つの個々の伝送フィルタ３１１，３２１，３３１の代わりに、３つの原色の伝送領域を有する単一フィルタ（図示せず）を用いることもできる。この場合には、伝送値を各スペクトルの原色範囲に対して上式に従って決定し、三原色に対するセンサーの異なる感度が適当な減衰によって補償されるようにする。この場合には２つのビームスプリッタ３４，３４１がいずれも必要でなくなる。
【０１０８】
図１４は本発明の第６実施例を示し、この例では、図１３におけるものと同じ部品には同じ参照番号を付して示してある。
【０１０９】
ここでも、照明部分Ｌから分岐させた光部分を第１ビームスプリッタ３４０に供給し、これにて第１カラーフィルタ３１０、第２カラーフィルタ３２０及び第３カラーフィルタ３３０に向ける３つの光チャネルに分割する。これらの各フィルタも三原色のうち１つの色だけを伝達可能である。図１３の第５実施例と対比するに、本例では、センサー３０１，３０２，３０３を各カラーフィルタ３１０，３２０，３３０の後方に配置する。センサー信号はそれぞれの増幅器３１２，３２２，３３２によって増幅される。これら増幅器の増幅率は、上述した伝送フィルタ３１１，３２１，３３１の伝送値と同じ方法で決定し、三原色に対するセンサーの異なる感度が互いに等しくなり、その結果、センサーが原色に対して少なくともほぼ同じ感度を有するようにする。
【０１１０】
増幅器３１２，３２２，３３２の出力信号はミクサ３４２にて合成してから、上述した方法でランプ電流を制御するランプ駆動回路３４に供給する。
【０１１１】
この第６実施例の特に有利な点は、これを色変調器（カラーホイール）が白（透明）のセグメントを具えているＳＣＲシステムに使用することもできることにある。これは一般に画像スクリーン上の輝度を高める作用をする。
【０１１２】
ここで注意すべきことは、時間インターバルで発生する斯様な白セグメントは、ランプ駆動回路へのセンサー信号を原色に比べて増加させ、従ってランプによって発生される光束を妨害なく検出するためになくすべき妨害部分を引き起こす。
【０１１３】
このために、白（透明）セグメントによって図１４の３つの全てのセンサー３０１，３０２，３０３に対して出力信号が原色に比べて増大するプロパティを利用することができる。これはミクサ３４２によって検出することができ、また、斯かる時間インターバル内で、例えば１つのセンサー出力信号だけを通したり、又はミクサの出力信号を１つのセンサー出力信号のレベルに限定したり、或いは全てのセンサー出力信号をブロックしたりする適当な制御により補償することができる。
【０１１４】
図１，４，５，１３及び１４につき述べた本発明によるカラーバー（スクリーンローリングカラー法）によって生じるセンサー信号中の妨害の除去は、三原色の像と、場合によっては白色像をディスプレイ上に交互に提示させる場合（フィールド順次カラー法）にも用いることができる。この方法は、例えばＤＬＰプロジェクタによく用いられる。
【０１１５】
図１及び図４の第１及び第２実施例の場合には、櫛形フィルタの周波数又はその調整用に仕える画像共時性信号を原色画像の繰り返し周波数に同調させる必要がある。図５の第３実施例では、平均値フォーメーションを斯かる繰り返し周波数と同期させる必要がある。これ以外に、ここでは第１〜第３実施例に関連する説明も通用する。
【０１１６】
更に、センサー信号が例えば図２に示すように段付き勾配を有する場合には、図４又は図５に示した第２又は第３実施例を変更し、これらの実施例につき述べた画像処理兼制御ユニット２１により発生される画像共時性信号を用いて、増幅器３１の増幅率をセンサー、即ち色細条に瞬時的に入射する原色に応じて変化させ、ランプが発生する光束が等しい場合に、全ての色に対して同じレベルのセンサー信号が生じ、その結果、図２に示したステップが同じレベルとなるようにする。この場合には、摺動平均値を生成するための櫛形フィルタ又はユニット３６と減算キーボード３７を省くことができる。
【０１１７】
図２に示したセンサー信号のステップ（段）の相対位置は、ランプスペクトル、カラーフィルタの関数及びセンサーの感度から前もって計算することができるため、それらを補償するのに必要な増幅率も計算することができる。
【０１１８】
個々の原色に対する増幅率の計算は、ここでは、図１３の第５実施例についての、伝送フィルタ３１１，３２１，３３１の伝送値の計算及び図１４の第６実施例についての、増幅器３１２，３２２，３３３の増幅率の計算につき上述したと同じ方法で行う。従って、増幅率の変化度は（例えば、図２に示すような）非補正センサー信号の変化度に対して逆となり、これら２つの変化度の重畳によって原色とこれによって生成されるセンサー信号との間の伝送関数がほぼ直線、従って一定の伝送関数になる。
【０１１９】
これに関連して、センサー信号のステップ間の遷移部での増幅率の切り替わりにより生じ、且つセンサー信号、従ってランプ電流及びランプ出力を（わずかに）残余変調させるセンサー信号中の短い妨害は、実質上高周波的なもので、従ってＨＥＳフィルタ３３によって抑圧されるから、可視的効果を呈さないことを確かめた。
【０１２０】
最後に、第１演色法（フィールド順次カラー法）では、原色に対する１個又は複数センサーの個々の感度を、一定伝送関数のように互いに等しくしておくのではなく、互いに目的指向法で相対的に調整することで、色温度を（損失なく）微調整し、且つ提示される色空間を最適化することができる。
【０１２１】
これは、上述したような第２又は第３実施例の変更例に従って増幅率を適切に切り替えることによって達成することができる。他のやり方は、図１３の第５実施例における伝送フィルタ３１１，３２１，３３１の伝送値又は図１４の第６実施例における増幅器３１２，３２２，３３２の増幅率を変えて、前記伝送関数のそれ相当の非線形勾配を得て、所望される色温度の提示画像が得られるようにすることである。
【０１２２】
更に詳しく云うと、所望スペクトルを上述した第２式においてランプ光の実際のパワースペクトルＩ（λ）の代わりに代入して、これに対する伝送フィルタの伝送値Ｆ（λ）（又は、適用できれば、増幅率）を求める。
【０１２３】
例えば、スペクトルに含まれる赤成分を高くしたい場合には、赤のカラーフィルタの後方にある伝送フィルタの伝送値を下げるか、又は赤の原色の放射中におけるセンサー信号の増幅度を多少強めるようにする。このようにすることにより、ランプ駆動回路は、赤の原色像の提示中電流制御回路を介してランプ出力をそれ相当に高めて、像の色温度が赤領域の方へとシフトされるようにする。
【０１２４】
増幅率を切り替える別のやり方は、センサー出力信号のそれぞれのステップにて適当な一定電圧値を差し引いて、前記伝送関数の勾配を所望なものとすることにある。
【０１２５】
最後に、本発明の原理は３つの原色でなく、異なる数の原色を発生して、表示する場合にも使用し得ることに留意すべきである。
【図面の簡単な説明】
【０１２６】
【図１】本発明の第１実施例を示す必須電気構成部品のブロック図でスクローリングカラー/ＳＣＲカラー投映システムの構成原理を示した図である。
【図２】センサー信号の変化度（勾配）を示した図である。
【図３】様々なフィルタ関数を概略的に示した図である。
【図４】本発明の第２実施例を示す必須電気構成部品のブロック図でスクローリングカラー/ＳＣＲカラー投映システムの構成原理を示した図である。
【図５】本発明の第３実施例を示す必須電気構成部品のブロック図でスクローリングカラー/ＳＣＲカラー投映システムの構成原理を示した図である。
【図６】図５に示したシステムにおける様々な電圧変化を示した図である。
【図７】本発明の第４実施例を示す必須電気構成部品のブロック図でカラー投映システムの構成原理を示した図である。
【図８】図７に示した第４実施例の第１具体化法の概略ブロック図である。
【図９】図７に示した第４実施例の第２具体化法の概略ブロック図である。
【図１０】図７に示した第４実施例の第３具体化法の概略ブロック図である。
【図１１】第４実施例を用いる場合における幾つか信号変化を示す図である。
【図１２】第４実施例を用いない場合における幾つか信号勾配を示す図である。
【図１３】本発明の第５実施例を部分的に示した図である。
【図１４】本発明の第６実施例を部分的に示した図である。
【図１】
2006500630.tif 000003
【図２】
2006500630.tif 000004
【図３】
2006500630.tif 000005
【図４】
2006500630.tif 000006
【図５】
2006500630.tif 000007
【図６】
2006500630.tif 000008
【図７】
2006500630.tif 000009
【図８】
2006500630.tif 000010
【図９】
2006500630.tif 000011
【図１０】
2006500630.tif 000012
【図１１】
2006500630.tif 000013
【図１２】
2006500630.tif 000014
【図１３】
2006500630.tif 000015
【図１４】
2006500630.tif 000016
【国際調査報告】
2006500630.tif 000017
2006500630.tif 000018